(57)【要約】      （修正有）【課題】開閉体を回動させながら平行移動させ、開閉動作中にもリフトさせることができ、さらにリンク機構によりダンパー効果を出すことができヒンジを提供する。【解決手段】ベース１に取り付けられた固定側ヒンジ体３と、固定側ヒンジピン５を介して回動自在に取り付けられた第１可動側ヒンジ体４と、該第１可動側ヒンジ体４に摺動可能に設けられたスライダ６と、第１可動側ヒンジ体４に可動側ヒンジピン８を介して回動自在に取り付けられると共に開閉体２を取り付けた第２可動側ヒンジ体９と、両端部にそれぞれ規制ピン１０ａ，１０ｂを有し、一方の規制ピンがカム溝３ａに挿設されると共に他方の規制ピンが他のカム溝９ａに挿設されるリンクアーム１０と、固定側ヒンジ体３に取り付けられ、スライダ６のカム部が弾性的に当接するカム部を形成した固定側カム板７とから構成されることを特徴とする。【選択図】図１
2005164804.tif 000002
【特許請求の範囲】
【請求項１】
コピー機本体などのベースに取り付けられた固定側ヒンジ体と、固定側ヒンジピンを介して回動自在に取り付けられた第１可動側ヒンジ体と、該第１可動側ヒンジ体に摺動可能に設けられると共にカム部を形成したスライダと、上記第１可動側ヒンジ体の先端部に可動側ヒンジピンを介して回動自在に取り付けられると共にコピー機の圧着板などの開閉体を取り付けた第２可動側ヒンジ体と、両端部にそれぞれ規制ピンを有し、一方の規制ピンが上記固定側ヒンジ体に形成されたカム溝に挿設されると共に他方の規制ピンが上記第２可動側ヒンジ体に形成されたカム溝に挿設されたリンクアームと、上記固定側ヒンジ体に取り付けられると共に上記スライダのカム部が弾性的に当接するカム部を形成した固定側カム板と、から構成されることを特徴とする開閉体のヒンジ。
【発明の詳細な説明】
【技術分野】
【０００１】
本発明は、例えばコピー機の原稿圧着板などの開閉体を任意の開き角度に停止保持させることができると共に、厚物原稿のコピーなどにも適用できる開閉体のヒンジに関するものである。
【背景技術】
【０００２】
従来のこの種の開閉体のヒンジとしては、図６に示すように、開閉体２が水平姿勢に全閉した状態から図７のように傾斜状態に開くと、これと一体となって、第２可動側ヒンジ体１１および第１可動側ヒンジ体４が、固定側ヒンジピン５を中心に回動する。この際、上記第１スライダ６′が圧縮ばねＳにより第１可動側ヒンジ体４内を摺動して、その第１カム部６ａは固定側カム板１２の第１カム部１２ａに当接する。
【０００３】
図８に示すように、上記開閉体２を更に開くと、上記第１スライダ６′の第１カム部６ａ′および第２カム部６ｂ′が、上記固定側カム板１２の第１カム部１２ａおよび第２カム部１２ｂにそれぞれ当接する。
【０００４】
次に、図９に示すように、上記開閉体２の先端部を下げて、その傾き角度を小さくすると、上記第２可動側ヒンジ体１１が、第１可動側ヒンジ体４に設けられた第１可動側ヒンジピン９′を中心に回動する。この際、第１可動側ヒンジ体４に設けられた第２可動側ヒンジピン１３が、上記第２可動側ヒンジ体１１に形成された横長溝１１ｂ内を摺動する。また、第２スライダ７′のカム部７ａ′が第２可動側ヒンジ体１１のカム部１１ｃに当接している。
【０００５】
図１０に示すように、上記開閉体２の先端部を更に下げると、上記第２可動側ヒンジピン１３が上記横長溝１１ｂの端部に当接すると共に、上記第１可動側ヒンジピン９′が縦長溝１１ａ内を摺動して、開閉体２を水平状態にすることができる。この際、上記カム部７ａ′がカム部１１ｃに当接した状態で移動する。 
【０００６】
しかし、上記従来のヒンジは、開閉体２の開閉と上下平行移動（リフト）の機構を分けているため、開閉体２は途中まで平行に上がり、そこから回動して開き、また、閉じる場合にも、開閉体２は途中まで回動して閉まり、平行になった時点で平行に下がるようになっているため、下記のような問題点があった。
１）ブックモード（厚い本のコピー）の際に、原稿が後ろにずれる。
２）ダンパー効果を出すためのダンパーを特別に設けているために、その中のオイル変化による耐久性に問題があった。
３）開閉体の高さを調節するためのネジを設けているので、市場において、初期調整を必要とする。
４）開閉体を速く閉じようとすると、ブックモードになってしまい、時には、開閉の２段動作が機械的に発生する。
５）ブックモードの際に原稿が薄くなれば薄くなるほど、操作力は重くなる。
【発明の開示】
【発明が解決しようとする課題】
【０００７】
本発明が解決しようとする課題は、上記従来の欠点や問題点の無い開閉体のヒンジを提供することにある。
【課題を解決するための手段】
【０００８】
本発明の開閉体のヒンジは、コピー機本体などのベースに取り付けられた固定側ヒンジ体と、固定側ヒンジピンを介して回動自在に取り付けられた第１可動側ヒンジ体と、該第１可動側ヒンジ体に摺動可能に設けられると共にカム部を形成したスライダと、上記第１可動側ヒンジ体の先端部に可動側ヒンジピンを介して回動自在に取り付けられると共にコピー機の圧着板などの開閉体を取り付けた第２可動側ヒンジ体と、両端部にそれぞれ規制ピンを有し、一方の規制ピンが上記固定側ヒンジ体に形成されたカム溝に挿設されると共に他方の規制ピンが上記第２可動側ヒンジ体に形成されたカム溝に挿設されたリンクアームと、上記固定側ヒンジ体に取り付けられると共に上記スライダのカム部が弾性的に当接するカム部を形成した固定側カム板と、から構成されることを特徴とする。
【発明の効果】
【０００９】
本発明の開閉体のヒンジは、次のような利点がある。
１）開閉体を回動させながら平行移動（リフト・ダウン）させることができる。
２）開閉体の開閉動作中にリフトさせることができる。
３）リンク機構によりダンパー効果を出すようにしたので、ダンパーを特別に設ける必要がない。
４）開閉体が原稿面に平行に降りるため、原稿ずれを起こさない。
５）軽量かつ小型で、コストダウンを図ることができる。
６）市場での初期調整が不要である。
７）中折れの不自然な動作がない。
８）リフト操作が無いため手にかかる負担が軽減される。
９）厚い原稿、薄い原稿にかかわらず操作力が一定である。
【発明を実施するための最良の形態】
【００１０】
図１は、本発明の開閉体のヒンジの一実施例を示す構成説明図であって、１はコピー機本体などのベース、２は圧着板などの開閉体である。上記ベース１には固定側ヒンジ体３取り付け固定されている。該固定側ヒンジ体３には、固定側ヒンジピン５を介して第１可動側ヒンジ体４が回動自在に取り付けられている。
【００１１】
上記第１可動側ヒンジ体４内にはスライダ６が摺動可能に設けられている。該スライダ６には第１カム部６ａおよび第２カム部６ｂが形成されていて、上記固定側ヒンジ体３に取り付けられた固定側カム板７の第１カム部７ａおよび第２カム部７ｂに、それぞれ圧縮バネＳにより弾性的に当接するようになっている。
【００１２】
上記第１可動側ヒンジ体４の先端部には、可動側ヒンジピン８が取り付けられていて、これに第２可動側ヒンジ体９が回動自在に取り付けられている。
【００１３】
１０はリンクアームであって、その基端部および先端部には、第１規制ピン１０ａおよび第２規制ピン１０ｂがそれぞれ設けられている。該第１規制ピン１０ａは、上記固定側ヒンジ体３に形成した第１カム溝３ａに挿設されている。また、上記第２規制ピン１０ｂは、上記第２可動側ヒンジ体９に形成した第２カム溝９ａに挿設されている。
【００１４】
次に、上記実施例のヒンジの作用について説明する。図１は開閉体２が水平姿勢に全閉した状態を示し、この全閉状態から開閉体２を図２のように平行に開くと、上記第１可動側ヒンジ体４が上記固定側ヒンジピン５を中心に回動する。この際、上記第１規制ピン１０ａは上記第１カム溝３ａを移動しないが、上記第２規制ピン１０ｂも上記第２カム溝９ａを移動しない。また、上記固定側カム板７の第１カム部７ａに当接していた上記スライダ６の第１カム部６ａに当接状態で移動する。
【００１５】
図３は、厚物原稿を開閉体２で押さえた時のヒンジの状態を示すもので、上記第１可動側ヒンジ体４が固定側ヒンジピン５を中心に回動傾斜すると共に、該第１可動側ヒンジ体４の先端部の可動側ヒンジピン８に枢着された第２可動側ヒンジ体９が反対方向に回動して、開閉体２を水平状態に保つ。この際、上記固定側カム板７の第１カム部７ａに当接している上記スライダ６の第１カム部６ａは多少摺動する。また、上記第１規制ピン１０ａおよび第２規制ピン１０ｂは、上記第１カム溝３ａおよび第２カム溝９ａに対して、図１と同じ状態に位置する。
【００１６】
図４に示すように、開閉体２を更に開くと、上記第１可動側ヒンジ体４は、更に上記固定側ヒンジピン５を中心に回動し、上記第１規制ピン１０ａは上記第１カム溝３ａに沿って移動する。上記スライダ６の第２カム部６ｂは第２カム部７aに当接状態で移動する。
【００１７】
図５は、開閉体２を使用最大状態まで開いた時のヒンジの状態を示すもので、上記第１可動側ヒンジ体４及び上記第２可動側ヒンジ体９は固定側ヒンジピン５を中心に更に回動して傾斜を強める。この際、上記第１カム部７ａには第２カム部６ｂが当接するようになるが、上記第１規制ピン１０ａは、上記第１カム溝３ａの端部に移動して停止する。
【００１８】
本発明のヒンジは原稿圧着板のヒンジに限定するものではなく、例えば、コピー機、スキャナー、コピーとスキャナーの複合機、又は蓋、などのヒンジであってもよい。
【図面の簡単な説明】
【００１９】
【図１】本発明の開閉体のヒンジの一実施例を示す縦断面の構成説明図である。
【図２】図１のヒンジの第１の作用説明図である。
【図３】図１のヒンジの第２の作用説明図である。
【図４】図１のヒンジの第３の作用説明図である。
【図５】図１のヒンジの第４の作用説明図である。
【図６】従来の開閉体のヒンジを示す縦断面の構成説明図である。
【図７】図６のヒンジの第２の作用説明図である。
【図８】図６のヒンジの第３の作用説明図である。
【図９】図６のヒンジの第４の作用説明図である。
【図１０】図６のヒンジの第５の作用説明図である。
【符号の説明】
【００２０】
１    ベース
２    開閉体
３    固定側ヒンジ体
３ａ  第１カム溝
４    第１可動側ヒンジ体
５    固定側ヒンジピン
６    スライダ
６ａ  第１カム部
６ｂ  第２カム部
７    固定側カム板
７ａ  第１カム部
７ｂ  第２カム部
８    可動側ヒンジピン
９    第２可動側ヒンジ体
９ａ  第２カム溝
１０    リンクアーム
１０ａ  第１規制ピン
１０ｂ  第２規制ピン
Ｓ    圧縮バネ
【図１】
2005164804.tif 000003
【図２】
2005164804.tif 000004
【図３】
2005164804.tif 000005
【図４】
2005164804.tif 000006
【図５】
2005164804.tif 000007
【図６】
2005164804.tif 000008
【図７】
2005164804.tif 000009
【図８】
2005164804.tif 000010
【図９】
2005164804.tif 000011
【図１０】
2005164804.tif 000012